(57)【特許請求の範囲】
【請求項１】
長さが複数段階のいずれかに設定される矩形状の鍵山が高さを揃えて複数個列設された鍵と、前記鍵を挿入して回動することにより施錠または解錠の動作を行って掛止め金具を連動させる錠本体との組み合わせから成り、
前記錠本体は、内周面に係合溝が長さ方向に沿って形成されている外筒と、
外筒内に回動可能に支持され外筒の後方へ突出する掛止め金具の駆動軸を備えるとともに鍵の挿入を受け付ける待機状態のときに外筒の係合溝と連通する貫通孔が形成されている内筒と、
挿入された鍵の各鍵山に対応する内筒内の各位置に内筒に対して少なくとも一方の方向に設定角度だけ回動可能に嵌挿され、外周縁には前記待機状態のときは内筒の貫通孔に対して設定角度だけ位置ずれし設定角度回動したときに内筒の貫通孔と連通する凹欠部が少なくとも１個形成されている複数枚のディスクと、
内筒内のディスク間に内筒に対して回動しない状態で嵌挿され、外周縁には内筒の貫通孔と連通する凹欠部が形成されている複数枚の仕切板と、
外筒の係合溝と内筒の貫通孔との連通部分に位置するとき内筒の回動を規制する状態を形成し、全ディスクの凹欠部と全仕切板の凹欠部とが一列に揃うことにより生成される凹溝と内筒の貫通孔との連通部分に位置するとき内筒の回動を許容する状態を形成する軸状のラッチ部材とを含んでおり、
各ディスクは、前記の対応する鍵山の長さと一致する厚みを有し、各仕切板は、鍵山間の鍵溝の長さと一致する厚みを有し、各ディスクおよび各仕切板の板面には前記待機状態のときに一連に揃って鍵の挿脱が可能となる鍵挿通孔が形成されるとともに、各鍵挿通孔の孔周縁には鍵の回動により鍵山の部分には当接するが鍵山間の鍵溝の部分には当接しない段部が形成されて成るディスク錠装置。
【請求項２】
前記内筒は、前記待機状態から一方の方向へ決められた角度だけ回動することが可能であるとともに、前記内筒の駆動軸には、内筒の正逆各方向の回動に連動するように、前記掛止め金具が設けられている請求項１に記載されたディスク錠装置。
【請求項３】
前記内筒は、前記待機状態から正逆各方向へそれぞれ決められた角度だけ回動することが可能であるとともに、前記内筒の駆動軸には、内筒の正逆各方向の回動に連動するように、かつ内筒が回動方向を変えた後は前記の角度だけ内筒が空転するように、前記掛止め金具が設けられている請求項１に記載されたディスク錠装置。
【請求項４】
前記鍵は、鍵山間の鍵溝が同じ長さに設定されるとともに、全ての仕切板は、同じ厚みに形成されている請求項１〜３のいずれかに記載されたディスク錠装置。
【請求項５】
全てのディスクと全ての仕切板は、鍵挿通孔が同一形状に形成されている請求項１〜４のいずれかに記載されたディスク錠装置。
【請求項６】
請求項１〜５のいずれかに記載されたディスク錠装置であって、
前記鍵は、いずれかの鍵山の位置に前記鍵溝と連続する平坦部が設けられ、前記平坦部に対応する内筒内の位置には、鍵の挿入時に内筒の貫通孔と連通する凹欠部が外周縁に形成された第２のディスクが設けられているディスク錠装置。
【発明の詳細な説明】
【技術分野】
【０００１】
この発明は、自動販売機、現金自動取引装置、金庫、貸ロッカー、建物の出入口の扉など、各種用途に適用されるディスク錠装置に関し、特に、この発明は、不適正な鍵が錠本体に挿入された場合は、その鍵を回すことができないディスク錠装置に関する。
【背景技術】
【０００２】
従来、この種のディスク錠装置として、高さが複数段階のいずれかに設定される矩形状の鍵山が長さ方向に複数設けられた鍵と、この鍵を挿入して正逆回動することにより施錠動作および解錠動作する錠本体との組み合わせから成るものが存在していた。前記錠本体は、外筒の内部に内筒が回動可能に配備され、前記内筒の内部には、複数のディスクと軸状のラッチ部材とが装填されている。
【０００３】
上記のディスク錠装置では、鍵の鍵違いは各鍵山の高さを変えることにより実現されるが、鍵山の高さを多段階に設定すると、各鍵山の高さに応じた形状の鍵挿通孔を有する多種類のディスクを製作しなければならず、ディスクの製作コストが高くつき、また鍵違いの数を増すには限界がある。
【０００４】
そこで、出願人は先般、鍵の各鍵山の長さを複数段階のいずれかに設定するとともに、錠本体の各ディスクの厚みを、対応する各鍵山の長さに応じて複数段階のいずれかに設定するようにしたディスク錠装置を提案した（例えば、特許文献１参照）。このディスク錠装置によれば、各ディスクの鍵挿通孔の形状を変えることなく、鍵違いの数を増大することが可能である。
【０００５】
【特許文献１】特許第２６１８８１９号公報
【発明の開示】
【発明が解決しようとする課題】
【０００６】
ところが、上記したディスク錠装置では、適正な鍵が錠本体に挿入された場合も、適正でない鍵が錠本体に挿入された場合も、錠本体は鍵を所定の角度だけ回動操作することが可能な構造になっている。このため、間違った鍵を取り出し、その不適正な鍵を適正な鍵と思い込んで無理な力で鍵操作を行い、その結果、鍵や錠本体を破損させたり、解錠できないため、錠本体が故障であると誤認し、誤って錠本体を修理または交換したりするなどのトラブルが発生している。
【０００７】
この発明は、上記した問題に着目してなされたもので、不適正な鍵が錠本体に挿入された場合は、その鍵を回せないような構成となすことにより、不適正な鍵を適正な鍵と思い込ませるおそれがないディスク錠装置を提案することを目的とする。
【課題を解決するための手段】
【０００８】
この発明によるディスク錠装置は、長さが複数段階のいずれかに設定される矩形状の鍵山が高さを揃えて複数個列設された鍵と、前記鍵を挿入して回動することにより施錠または解錠の動作を行って掛止め金具を連動させる錠本体との組み合わせから成るものである。前記錠本体は、内周面に係合溝が長さ方向に沿って形成されている外筒と、外筒内に回動可能に支持され外筒の後方へ突出する掛止め金具の駆動軸を備えるとともに鍵の挿入を受け付ける待機状態のときに外筒の係合溝と連通する貫通孔が形成されている内筒と、挿入された鍵の各鍵山に対応する内筒内の各位置に内筒に対して少なくとも一方の方向に設定角度だけ回動可能に嵌挿され、外周縁には前記待機状態のときは内筒の貫通孔に対して設定角度だけ位置ずれし設定角度回動したときに内筒の貫通孔と連通する凹欠部が少なくとも１個形成されている複数枚のディスクと、内筒内のディスク間に内筒に対して回動しない状態で嵌挿され、外周縁には内筒の貫通孔と連通する凹欠部が形成されている複数枚の仕切板と、外筒の係合溝と内筒の貫通孔との連通部分に位置するとき内筒の回動を規制する状態を形成し、全ディスクの凹欠部と全仕切板の凹欠部とが一列に揃うことにより生成される凹溝と内筒の貫通孔との連通部分に位置するとき内筒の回動を許容する状態を形成する軸状のラッチ部材とを含んでいる。各ディスクは、前記の対応する鍵山の長さと一致する厚みを有し、各仕切板は、鍵山間の鍵溝の長さと一致する厚みを有し、各ディスクおよび各仕切板の板面には前記待機状態のときに一連に揃って鍵の挿脱が可能となる鍵挿通孔が形成されるとともに、各鍵挿通孔の孔周縁には鍵の回動により鍵山の部分には当接するが鍵山間の鍵溝の部分には当接しない段部が形成されている。
【０００９】
上記した構成のディスク錠装置において、錠本体が鍵の挿入を受け付ける待機状態にあるとき、外筒の係合溝と内筒の貫通孔との連通部分に軸状のラッチ部材が位置することで、内筒の回動が規制されている。この待機状態では、各ディスクの鍵挿通孔と各仕切板の鍵挿通孔とが一連に揃って鍵の挿入が可能となっている。また、各仕切板の凹欠部は内筒の貫通孔と連通しているが、各ディスクの凹欠部は内筒の貫通孔と位置がずれているので、ラッチ部材は外筒の係合溝と内筒の貫通孔との連通部分に閉じ込められた状態にある。
【００１０】
上記した待機状態の錠本体に適正な鍵を挿入すると、鍵の各鍵山は対応するディスクの位置に位置し、また、鍵山間の各鍵溝は各仕切板の位置に位置する。鍵は各鍵山の位置で各ディスクの鍵挿通孔の段部に当接し、一方、鍵山間の各鍵溝の位置では各仕切板の鍵挿通孔の段部に当接しないので、施錠または解錠操作を行うために鍵を回したとき、各ディスクは鍵山によって引っ掛けられ、一方、各仕切板に対しては鍵は鍵挿通孔を空転し、各ディスクが鍵と一体に設定角度だけ回動する。その結果、全ディスクの凹欠部と全仕切板の凹欠部とが一列に揃って凹溝が生成され、この凹溝は内筒の貫通孔と連通するので、軸状のラッチ部材は内筒の貫通孔と凹溝との連通部分に移動することが可能となる。さらに、鍵を回すと、全ディスクと全仕切板と内筒とが一体に回動し、外筒の係合溝と内筒の貫通孔との連通部分に位置していたラッチ部材が押し出されて内筒の貫通孔と凹溝との連通部分へ移動する。これにより、内筒が外筒からの束縛から解放され、鍵と一体に回動するので、施錠または解錠動作が可能となる。
【００１１】
不適正な鍵を挿入したときは、その鍵の各鍵山と各ディスクとが対応関係にないので、
いずれかの鍵山が仕切板の鍵挿通孔へはみ出て、その鍵挿通孔の段部に鍵の鍵山が当接する。その状態で鍵を回そうとしても、仕切板は鍵山に引っ掛けられるものの、内筒内に回動不能に嵌挿され、また、内筒はラッチ部材が外筒の係合溝と内筒の貫通孔との連通部分に閉じ込められて回動ができない状態にあるので、鍵を回すことができず、待機状態から施錠または解錠の動作を行うことができない。
【００１２】
この発明の一実施態様においては、前記内筒は、前記待機状態から一方の方向へ決められた角度だけ回動することが可能であるとともに、前記内筒の駆動軸には、内筒の正逆各方向の回動に連動するように、前記掛止め金具が設けられている。
【００１３】
この実施態様の錠本体は、例えば金庫やロッカーなどに装着されるものであり、例えば施錠状態である待機状態で鍵を挿入して一方の方向へ回動操作すると、内筒が回動して、内筒と連動する掛止め金具が動作し、解錠状態となる。解錠状態から鍵を反対方向へ回して待機状態に戻すと、内筒に掛止め金具が連動し、施錠状態になる。
【００１４】
この発明の他の実施態様においては、前記内筒は、前記待機状態から正逆各方向へそれぞれ決められた角度だけ回動することが可能であるとともに、前記内筒の駆動軸には、内筒の正逆各方向の回動に連動するように、かつ内筒が回動方向を変えた後は前記の角度だけ内筒が空転するように、前記掛止め金具が設けられている。
【００１５】
この実施態様の錠本体は、例えば建物の玄関口の扉に装着されるものであり、待機状態で鍵を挿入して一方の方向へ回動操作すると、内筒が同方向へ回動して内筒と連動する掛止め金具が駆動し、施錠状態が得られる。また、待機状態で鍵を挿入して逆方向へ回動操作すると、内筒が同方向へ回動して掛止め金具が駆動し、解錠状態が得られる。なお、内筒を回動させて施錠または解錠状態にした後、回動方向を変えて待機状態に戻すときは、掛止め金具は内筒と連動せず、施錠状態または解錠状態が保たれる。
【００１６】
この発明の好ましい実施態様においては、前記鍵は、鍵山間の鍵溝が同じ長さに設定されるとともに、全ての仕切板は、同じ厚みに形成されているが、これに限らず、鍵山間の鍵溝の長さを複数段階のいずれかに設定するとともに、各仕切板の厚みを対応する鍵山間の鍵溝の長さと一致させるようにしてもよく、これにより鍵違いの数を一層増大することが可能である。
【００１７】
この発明の好ましい実施態様においては、全てのディスクと全ての仕切板は、鍵挿通孔が同一形状に形成されているが、例えば、ディスクの鍵挿通孔と仕切板の鍵挿通孔とを違えるようにしてもよい。
【００１８】
この発明のさらに好ましい実施態様においては、ピッキングを防止するために、前記鍵は、いずれかの鍵山の位置に前記鍵溝と連続する平坦部が設けられ、前記平坦部に対応する内筒内の位置には、施錠時に内筒の貫通孔と連通する凹欠部が外周縁に形成された第２のディスクが設けられている。
【００１９】
上記した実施態様のディスク錠装置では、錠本体が鍵の挿入を受け付ける待機状態にあるとき、第２のディスクを含む各ディスクの鍵挿通孔と各仕切板の鍵挿通孔とが一連に揃って鍵を挿入することが可能となっている。また、各仕切板の凹欠部と第２のディスクの凹欠部とは内筒の貫通孔と連通し、一方、その他の各ディスクの凹欠部は内筒の貫通孔と位置がずれている。
【００２０】
一連に揃った全ディスクおよび全仕切板の鍵挿通孔へピッキングのための不正な工具を挿入して全ディスクを一斉に強制回動させると、鍵の鍵山に対応する位置の各ディスクの凹欠部は内筒の貫通孔と連通するが、第２のディスクの凹欠部は内筒の貫通孔と位置ずれすることになるので、全ディスクの凹欠部が一列に揃わず凹溝が生成されない。そのため、ラッチ部材は内筒の貫通孔と外筒の係合溝との連通部分に閉じ込められたままとなり、内筒が回動可能な状態にならない。
【発明の効果】
【００２１】
この発明は上記の如く、不適正な鍵が錠本体に挿入された場合は、その鍵を回わせないような構成としたから、不適正な鍵を適正な鍵と思い込ませるおそれがなく、無理な力で鍵操作を行うことによる鍵や錠本体の破損などを防止することができる。また、錠本体が故障であると誤認させるおそれがないので、誤って錠本体を修理したり交換したりすることもない。
【発明を実施するための最良の形態】
【００２２】
この発明にかかるディスク錠装置は、鍵と錠本体との組み合わせから成るもので、その第１実施例として、図２および図３に鍵２の外観が、図１および図４〜図１１に錠本体１の構成が、それぞれ示してある。
図１に示す錠本体１は、例えば金庫やロッカーなどの扉に装着され、錠本体１の内筒４と一体回動する金属板より成る板状の掛止め金具１０が鍵２の回動操作により往復動作し、この往復動作により掛止め金具１０が筐体の側に取り付けられる受け金具（図示せず）の溝に係脱するものである。
【００２３】
図２（１）（２）および図３に示される鍵２は、全体が平板状をなし、鍵操作のためのつまみ部２０と、つまみ部２０より小さな幅であって錠本体１の前後の長さに応じた長さの鍵板部２１とが一体形成されている。前記鍵板部２１の板面は幅方向に沿って逆Ｓ字状に湾曲し、鍵２を錠本体１へ挿入したとき、鍵板部２１の丸みのある先端部２５が後述する内筒４の基底部４０に形成された錐状穴４１に突き当たる。
なお、鍵板部２１は、板面が必ずしも逆Ｓ字形状である必要はなく、矩形状であってもよい。
【００２４】
図２（１）（２）は、図１の錠本体１に適合した適正な鍵２を、図３は、図１の錠本体に適合していない不適正な鍵２を、それぞれ示している。
図２（１）（２）に示す鍵２は、鍵板部２１の両側辺に、長さが複数段階（図示例では２段階）のいずれかにそれぞれ設定された複数個（図示例では５個ずつ）の鍵山２２Ａ〜２２Ｅが長さ方向に列設されている。各鍵山２２Ａ〜２２Ｅは高さｈが同一に揃えられている。なお、図示例のものは、説明を容易にするため、第１、第３、第４、第５の各鍵山２２Ａ，２２Ｃ，２２Ｄ，２２Ｅの長さｄをｄ１（例えばｄ１＝１．２ｍｍ）、第２の鍵山２２Ｂの長さｄをｄ２（例えばｄ２＝０．８ｍｍ）の２段階に設定しているが、その段階数を増せば、鍵違いを一層多く設定できる。
【００２５】
第２の鍵山２２Ｂと第３の鍵山２２Ｃとの間、および第３の鍵山２２Ｃと第４の鍵山２２Ｄとの間は同じ長さｔ（例えばｔ＝１．０ｍｍ）の鍵溝２３である。
第１の鍵山２２Ａと第２の鍵山２２Ｂとの間には長さｄ１の鍵山（点線で示す）を、また、第４の鍵山２２Ｄと第５の鍵山２２Ｅとの間には長さｄ２の鍵山（点線で示す）を、それぞれ設けることができるが、この実施例ではそれに代えて、各位置に長さｄ１の第１の平坦部２４Ｆと長さｄ２の第２の平坦部２４Ｇとが形成してある。これらの平坦部２４Ｆ，２４Ｇは両隣の鍵溝２３，２３と連続しているが、第１の鍵山２２Ａと第１の平坦部２４Ｆとの間、第１の平坦部２４Ｆと第２の鍵山２２Ｂとの間、第４の鍵山２２Ｄと第２の平坦部２４Ｇとの間、および第２の平坦部２４Ｇと第５の鍵山２２Ｅとの間は長さｔが同じ（例えばｔ＝１．０ｍｍ）の鍵溝である。
【００２６】
各鍵山２２Ａ〜２２Ｅの長さｄは後述する第１のディスク５の厚みｕに、また、各平坦部２４Ｆ，２４Ｇの長さｄは後述する第２のディスク７の厚みｖに、さらに、各鍵溝２３の長さｔは仕切板６の厚みｗに、それぞれ対応している。なお、第２のディスク７はピッキングによる不正解錠を防止するためのもので、その種の不正解錠を他の手段で防止するような場合は、第２のディスク７に代えて第１のディスク５を用いることもできる。
【００２７】
図３に示す不適正な鍵２は、第２の鍵山２２Ｂの長さｄがｄ１（例えばｄ１＝１．２ｍｍ）であり、第４の鍵山２２Ｄの長さｄがｄ２（例えばｄ２＝０．８ｍｍ）であり、図２（１）（２）に示した適正な鍵２の各鍵山２２Ｂ，２２Ｄとは長さｄが一致していない。その結果、この不適正な鍵２を錠本体１に挿入した場合（後述する図１０参照）、第２の鍵山２２Ｂと第３の鍵山２２Ｃとが、各鍵山と対応する第１のディスク５Ｂ，５Ｃから仕切板６の側へはみ出すことになり、鍵２を回すことができない。なお、図３において、Ｐ，Ｑで示す破線部分は前記のはみ出し部分である。
【００２８】
図１に示す錠本体１は、外筒３、内筒４、前面板９、５枚の第１のディスク５Ａ〜５Ｅ、２枚の第２のディスク７Ｆ，７Ｇ、７枚の仕切板６Ａ，６Ｂ、丸軸状のラッチ部材８などで構成されている。内筒４は外筒３の後方へ突出するネジ軸４５を一体に備えている。このネジ軸４５は、掛止め金具１０を駆動する駆動軸を構成するもので、ネジ軸４５には内筒４の回動に連動して回動するように掛止め金具１０が取り付けられている。なお、鍵２および錠本体１を構成する各部材はステンレスなどの金属材により形成されている。
【００２９】
外筒３は、後端が開放された円筒体であり、図１および図４に示すように、円筒体の底に当たる前端部３０には前面板９が回動自由に嵌挿される円形孔３１が開設されている。前面板９には、鍵２の鍵板部２１の断面形状に一致する逆Ｓ字形状の鍵孔９０が形成されている。この鍵孔９０は、後述する各ディスク５Ａ〜５Ｅ，７Ｆ，７Ｇや仕切板６Ａ，６Ｂの鍵挿通孔５０，７０，６０と連通する。
【００３０】
図４は、鍵２の挿入を受け付ける待機状態を示しており、前面板９の鍵孔９０は上下方向を向いている。なお、この実施例では、錠本体１は前記待機状態では、掛止め金具１０が筐体の側の受け金具の溝に係合した施錠状態となっている。また、錠本体１に鍵２が挿入されたとき、待機状態以外の状態では鍵２を錠本体１から抜き取ることができないようになっている。
【００３１】
前記待機状態では、図２（１）（２）に示した適正な鍵２だけでなく、図３に示した不適正な鍵２も、鍵孔９より錠本体１の内部へ挿入することができるが、適正な鍵２は前記待機状態から一方の方向へ所定の角度β（図示例ではβ＝１１０度）回すことが可能であるのに対し、不適正な鍵２は挿入状態のままで回すことができない。以下、鍵２を回すことができる角度βを「鍵操作角度」という。
【００３２】
図４において、Ｒ１は待機位置（施錠位置）、Ｒ２は内筒４の回動が許容されて解錠操作が可能となる解錠可能位置、Ｒ３は鍵操作の終端となる解錠位置を示している。同図において、待機位置Ｒ１から解錠可能位置Ｒ２に至るまでは錠本体１の内筒４に対して鍵２が空転する。この実施例では、解錠のための操作角度（以下、「解錠操作角度」という。）αを２０度に設定している。解錠可能位置Ｒ２からさらに鍵２を回すと、内筒４が一体に回り出してネジ軸４５上の掛止め金具１０が一体回動し、筐体の側の受け金具の溝から脱出する。これにより金庫やロッカーなどの扉を開くことが可能な解錠状態となる。したがって、掛止め金具１０が内筒４と一体に回動する角度γは９０度（γ＝β−α）である。
【００３３】
外筒３の後端面には、図５に示すように、上記した鍵操作の終端の解錠位置Ｒ３を設定するためのストッパー３５が一体に突設されている。一方、内筒４のネジ軸４５上には回動規制板４７がネジ軸４５と一体に回動するようにナット４６によって固定されている。この回動規制板４７がストッパー３５に当たることで、内筒４の回動が規制され、これにより内筒４の回動が可能な角度γが設定される。回動規制板４７は対角位置に当たり端面４７ａ，４７ｂを有しており、図５（１）に示す待機状態（施錠状態）では、一方の当たり端面４７ｂがストッパー３５に突き当たっている。鍵２を前記した解錠可能位置Ｒ２からさらに回し、掛止め金具１０を内筒４と一体に角度γ（９０度）回動させると、図５（２）に示すように、回動規制板４７の他方の当たり端面４７ａがストッパー３５に突き当たり、それ以上の回動が規制される。
【００３４】
外筒３の内周面の所定角度位置には、図６〜図９に示すように、ラッチ部材８の半分が嵌り込んで内筒４の回動を規制する係合溝３２が外筒３のほぼ全長にわたり長さ方向に形成してある。なお、図６は図１のＡ−Ａ線に沿う断面図であり、同図には第１のディスク５Ｂが表されている。図７は図１のＢ−Ｂ線に沿う断面図であり、同図には第２のディスク７Ｆが表されている。図８は図１のＣ−Ｃ線に沿う断面図であり、同図には仕切板６Ａが現れている。図９は図１のＤ−Ｄ線に沿う断面図であり、同図には先頭位置の前部仕切板６Ｂが現れている。なお、各図の（１）は待機時（施錠時）の状態を、（２）は鍵２を解錠操作角度αだけ回したときの解錠操作可能時の状態を、（３）は鍵２を鍵操作角度βだけ回したときの解錠時の状態を、それぞれ示す。
【００３５】
図６（１）に示すように、外筒３の係合溝３２と内筒４に形成された貫通孔４３との連通部分にラッチ部材８が位置して閉じ込められたとき、内筒４の回動を規制する状態が形成される。係合溝３２の一方の溝壁３３はラッチ部材８が係合溝３２から脱出し易いように傾斜させている。
【００３６】
内筒４は、図１および図６〜図９に示すように、外筒３の後端の開放部より外筒３の内部に回動可能に嵌挿される筒壁部４２を備えている。この筒壁部４２の内部には、５枚の第１のディスク５Ａ〜５Ｅと２枚の第２のディスク７Ｆ，７Ｇと７枚の仕切板６Ａ，６Ｂとが積層した状態で嵌挿されている。仕切板６Ａはディスク間に介在し、前部仕切板６Ｂは先頭に位置する。筒壁部４２の後端部には基底部４０が一体形成されている。基底部４０の内面に前記錐状穴４１が形成され、基底部４０の外面に前記ネジ軸４５が一体に突設されている。
【００３７】
内筒４の筒壁部４２には、鍵２の挿入を受け付ける待機時（施錠時）に外筒３の係合溝３２と位置が揃ったときに連通する貫通孔４３が長さ方向に形成されている。貫通孔４３は、筒壁部４２を貫通するものであり、解錠操作可能時には第１のディスク５Ａ〜５Ｅ、第２のディスク７Ｆ，７Ｇ、仕切板６Ａ、および前部仕切板６Ｂの後述する凹欠部５４，７４，６４が一列に揃うことにより生成される凹溝１００と連通する（図６（２）、図７（２）、図８（２）参照）。
【００３８】
また、内筒４の筒壁部４２には、第１のディスク５Ａ〜５Ｅ、第２のディスク７Ｆ，７Ｇ、仕切板６Ａ、および前部仕切板６Ｂの外周部にそれぞれ一体形成された扇状の突片５３，７３，６３が係合する開放部４４が形成されており、開放部４４の両端４４ａ，４４ｂには、第１、第２の各ディスク５Ａ〜５Ｅ，７Ｆ，７Ｇ、仕切板６Ａ，６Ｂの突片５３，６３，７３の両端が突き当たる。
【００３９】
５枚の第１のディスク５Ａ〜５Ｅ、２枚の第２のディスク７Ｆ，７Ｇ、７枚の仕切板６Ａ，６Ｂは、内筒４の筒壁部４２の内径にほぼ一致する直径を有し、外周部には外筒３の内径にほぼ一致する直径を有する扇状の突片５３，７３，６３がそれぞれ一体形成されている。
【００４０】
第１のディスク５Ａ〜５Ｅおよび第２のディスク７Ｆ，７Ｇの各突片５３，７３は、図６および図７に示されるように、各ディスク５Ａ〜５Ｅ，７Ｆ，７Ｇが内筒４内で前記の解錠操作角度αだけ回動可能なように前記筒壁部４２に形成された開放部４４の開き角度θ１より小さな角度θ２（θ２＝θ１−α）に形成されている。
各仕切板６Ａ，６Ｂの各突片６３は、図８および図９に示されるように、各仕切板６Ａ，６Ｂが内筒４内で回動しないように前記開放部４４の開き角度θ１と一致する角度θ３（θ３＝θ１）に形成されている。
【００４１】
第１のディスク５Ａ〜５Ｅ、第２のディスク７Ｆ，７Ｇ、仕切板６Ａ，６Ｂの板面中央には、鍵２の挿入を受け付ける待機状態に一連に揃って鍵２の挿脱が可能となる鍵挿通孔５０，７０，６０がそれぞれ同一形状に形成されている。各鍵挿通孔５０，７０，６０は、鍵２の施錠方向Ｔに位置する孔側縁を復帰動作用の当り縁５０ａ，７０ａ，６０ａとなし、この当り縁５０ａ，７０ａ，６０ａと対向する孔側縁、すなわち解錠方向Ｓに位置する孔側縁に鍵２の各鍵山２２Ａ〜２２Ｅの高さｈに応じた高さの段部５１，７１，６１と、その孔側縁が鍵溝２３の高さ（位置）で切り欠かれた切欠部５２，７２．６２とが形成されている。段部５１，７１，６１は、鍵２の各鍵山２２Ａ〜２２Ｅに当接するが、鍵山間の鍵溝２３の部分に当接せずに切欠部５２，７２．６２へ回り込む。前記切欠部５２，７２，６２は孔側縁を少なくとも解錠操作角度αに対応する角度だけ切り欠いて形成される。
【００４２】
第１のディスク５Ａ〜５Ｅ、第２のディスク７Ｆ，７Ｇ、および仕切板６Ａは、外周縁をＵ字状に切り欠いて形成された凹欠部５４，７４，６４を有している。
第１のディスク５Ａ〜５Ｅの凹欠部５４は、前記待機状態に内筒４の貫通孔４３に対して解錠操作角度αだけ回転後方に位置するような角度位置に（図６（１）参照）、また、第２のディスク７Ｆ，７Ｇの凹欠部７４と仕切板６Ａの凹欠部６４とは、前記待機状態に内筒４の貫通孔４３と位置が揃って連通するような角度位置に（図７（１）、図８（１）参照）、それぞれ設けられている。
【００４３】
第１のディスク５Ａ〜５Ｅの各凹欠部５４と第２のディスク７Ｆ，７Ｇの各凹欠部７４と仕切板６Ａの各凹欠部６４とが全て一列に揃うことにより生成される凹溝１００と内筒４の貫通孔４３とが連通したとき（図６（２）、図７（２）、図８（２）参照）、内筒４の回動が許容されて解錠操作が可能な状態となり、外筒３の係合溝３２と内筒４の貫通孔４３との連通部分に閉じ込められていたラッチ部材８は前記凹溝１００と内筒４の貫通孔４３との連通部分へ移動可能となる。なお、前部仕切板６Ｂには凹欠部６４に代えて突部９９が形成されており、この突部９９によりラッチ部材８の軸方向の移動を規制している。
【００４４】
前記ラッチ部材８は、内筒４の筒壁部４２の長さよりわずかに短い丸軸体であって、外筒３の内周位置に第１、第２の各ディスク５Ａ〜５Ｅ，７Ｆ，７Ｇや仕切板６Ａと直交させて配備されている。
【００４５】
第１のディスク５Ａ〜５Ｅおよび第２のディスク７Ｆ，７Ｇは、それぞれの厚みが複数段階（この実施例では２段階）に設定されており、第１のディスク５Ａ〜５Ｅは鍵２の対応する鍵山２２Ａ〜２２Ｅの長さｄと一致する厚みｕを有し、第２のディスク７Ｆ，７Ｇは鍵２の対応する平坦部２４Ｆ，２４Ｇの長さｄと一致する厚みｖを有している。
この実施例では、第１のディスク５Ａ〜５Ｅのうち、５Ａ，５Ｃ，５Ｄ，５Ｅの各ディスクは第１、第３、第４、第５の各鍵山２２Ａ，２２Ｃ，２２Ｄ，２２Ｅの長さｄ１と一致する厚みｕ１（例えばｕ１＝１．２ｍｍ）に、５Ｂのディスクは第２の鍵山２２Ｂの長さｄ２と一致する厚みｕ２（例えばｕ２＝０．８ｍｍ）に、それぞれ設定されている。また、第２のディスク７Ｆ，７Ｇのうち、７Ｆのディスクは第１の平坦部２４Ｆの長さｄ１と一致する厚みｖ１（例えばｖ１＝１．２ｍｍ）に、７Ｇのディスクは第２の平坦部２４Ｇの長さｄ２と一致する厚みｖ２（例えばｖ２＝０．８ｍｍ）に、それぞれ設定されている。
各仕切板６Ａは鍵２の鍵山間の鍵溝２３の長さｔと一致する厚みｗ（例えばｗ＝１．０ｍｍ）を有している。なお、前部仕切板６Ｂの厚みは仕切板６Ａの厚みｗより小さな値に設定されている。
【００４６】
上記した第１実施例のディスク錠装置において、錠本体１が待機状態（この実施例では施錠状態）にあるとき、外筒３の係合溝３２と内筒４の貫通孔４３との連通部分にラッチ部材８が位置し、内筒４は回動が規制されている（図６（１）、図７（１）、図８（１）、図９（１）参照）。この待機状態では、各ディスク５Ａ〜５Ｅ，７Ｆ，７Ｇの鍵挿通孔５０，７０と各仕切板６Ａ，６Ｂの鍵挿通孔６０とが一連に揃って鍵２を挿入することが可能である。また、第２のディスク７Ｆ，７Ｇの凹欠部７４および各仕切板６Ａの凹欠部６４は内筒４の貫通孔４３と連通しているが（図７（１）、図８（１）参照）、第１のディスク５Ａ〜５Ｅの凹欠部５４は内筒４の貫通孔４３と位置がずれている（図６（１）参照）。このため、ラッチ部材８は外筒３の係合溝３２と内筒４の貫通孔４３との連通部分に位置し、閉じ込められた状態に保持される。
【００４７】
待機状態の錠本体１に適正な鍵２（図２）を挿入すると、鍵２の各鍵山２２Ａ〜２２Ｅは対応する第１のディスク５Ａ〜５Ｅの位置に位置し、また、各平坦部２４Ｆ，２４Ｇは対応する第２のディスク７Ｆ，７Ｇの位置に位置し、さらに、鍵山間の各鍵溝２３は各仕切板６Ａの位置に位置する（図１参照）。
【００４８】
挿入された鍵２は、各鍵山２２Ａ〜２２Ｅが第１のディスク５Ａ〜５Ｅの鍵挿通孔５０の段部５１に当たり、一方、鍵山間の各鍵溝２３の位置では各仕切板６Ａの鍵挿通孔６０の段部６２に当たらないので、鍵２を解錠方向Ｓへ回すと、第１のディスク５Ａ〜５Ｅは鍵山２２Ａ〜２２Ｅによって引っ掛けられ、一方、第２のディスク７Ｆ，７Ｇや各仕切板６Ａ，６Ｂに対しては鍵２は鍵挿通孔７０，６０の切欠部７２，６２に入り込んで空転し、第１のディスク５Ａ〜５Ｅだけが鍵２と一体に解錠操作角度αだけ回動する。その結果、第１のディスク５Ａ〜５Ｅの凹欠部５４と第２のディスク７Ｆ，７Ｇの凹欠部７４と仕切板６Ａの凹欠部６４とが一列に揃って凹溝１００が生成され、この凹溝１００は内筒４の貫通孔４３と連通するので、丸軸状のラッチ部材８は内筒４の貫通孔４３と凹溝１００との連通部分へ移動可能となり、解錠操作が可能な状態となる（図６（２）、図７（２）、図８（２）参照）。
【００４９】
この状態からさらに、鍵２を回すと、全てのディスク５Ａ〜５Ｅ，７Ｆ，７Ｇと全ての仕切板６Ａ，６Ｂと内筒４とが一体回動し、外筒３の係合溝３２と内筒４の貫通孔４３との連通部分に位置していたラッチ部材８が傾斜する溝壁３３に沿って係合溝３２より押し出されて内筒４の貫通孔４３と凹溝１００との連通部分へ移動するので、内筒４は外筒３との係わりが切れて束縛から解放され、鍵２と一体に所定の角度γ（９０度）回動する（図６（３）、図７（３）、図８（３）、図９（３）参照）。これにより、掛止め金具１０が内筒４と一体に回動するため、筐体の側の受け金具の溝から脱出して解錠状態となる。
【００５０】
そして、この解錠状態から鍵２を施錠方向Ｔへ９０度回すと、内筒４は全てのディスク５Ａ〜５Ｅ，７Ｆ，７Ｇと全ての仕切板６Ａ，６Ｂとともに鍵２と一体に回動して外筒３の係合溝３２と内筒４の貫通孔４３とが連通し、ラッチ部材８は外筒３の係合溝３２と内筒４の貫通孔４３との連通部分へ移動可能となる（図６（２）、図７（２）、図８（２）、図９（２）参照）。このとき、掛止め金具１０は内筒４と一体に回動して筐体の側の受け金具の溝に係合する。この状態からさらに鍵２を回すと、ラッチ部材８は凹溝１００より外筒３の係合溝３２と内筒４の貫通孔４３との連通部分へ移動するので、第１のディスク５Ａ〜５Ｅだけが鍵２とともに回動し、待機状態に戻る（図６（１）、図７（１）、図８（１）、図９（１）参照）。
【００５１】
つぎに、図１０および図１１に示すように、不適正な鍵２を錠本体１に挿入したときは、その不適正な鍵２（図３）と適正な鍵２（図２）とは、第２、第４の各鍵山２２Ｂ，２２Ｄの長さが一致せず、不適正な鍵２の各鍵山２２Ａ〜２２Ｅと第１のディスク５Ａ〜５Ｅとが対応関係にないので、第２の鍵山２２Ｂと第３の鍵山２２Ｃとが隣の仕切板６Ａの鍵挿通孔６０へそれぞれはみ出し、その鍵挿通孔６０の段部６１に鍵２の第２、第３の各鍵山２２Ｂ，２２Ｃが当たる（図１１参照）。その状態で鍵２を解錠方向Ｓへ回そうとしも、仕切板６は鍵山２２Ｂ，２２Ｃに引っ掛けられるものの、内筒４内に回動不能に嵌挿され、また、内筒４はラッチ部材８が外筒３の係合溝３２と内筒４の貫通溝４３との連通部分に閉じ込められて回動できない状態にあるので、鍵２を回すことができず、解錠操作を行うことができない。
【００５２】
ところで、錠本体１が待機状態にあるとき、第１、第２の各ディスク５Ａ〜５Ｅ，７Ｆ，７Ｇの鍵挿通孔５０，７０と各仕切板６Ａ，６Ｂの鍵挿通孔６０とが一連に揃って鍵２の挿入が可能となっている。また、各仕切板６Ａの凹欠部６４と第２のディスク７Ｆ，７Ｇの凹欠部７４とは内筒４の貫通孔４３と連通し、一方、第１のディスク５Ａ〜５Ｅの凹欠部５４は内筒４の貫通孔４３と位置がずれている。
【００５３】
一連に揃った第１、第２の全てのディスク５Ａ〜５Ｅ，７Ｆ，７Ｇの鍵挿通孔５０，７０と全ての仕切板６Ａ，６Ｂの鍵挿通孔６０へピッキングのための不正な工具を挿入して全ディスク５Ａ〜５Ｅ，７Ｆ，７Ｇを一斉に強制回動させると、第１のディスク５Ａ〜５Ｅの凹欠部５４は内筒４の貫通孔４３と連通するが、第２のディスク７Ｆ，７Ｇの凹欠部７４は内筒４の貫通孔４３と位置ずれすることになるので、全ディスク５Ａ〜５Ｅ，７Ｆ，７Ｇの凹欠部５４，７４が一列に揃わず凹溝１００が生成されない。そのため、軸状のラッチ部材８は内筒４の貫通孔４３と外筒３の係合溝３２との連通部分に閉じ込められたままとなり、解錠可能な状態にならない。
【００５４】
図１２〜２４は、この発明の第２実施例であるディスク錠装置の構成を示している。図示例のディスク錠装置も、鍵と錠本体との組み合わせから成り、図１４に鍵２の外観が、図１２、図１３および図１５〜２４に錠本体１の構成が、それぞれ示してある。
【００５５】
図１４に示される鍵２は、全体が平板状をなし、鍵操作のためのつまみ部２０と、つまみ部２０より小さな幅であって錠本体１の前後の長さに応じた長さの鍵板部２１とが一体形成されている。前記鍵板部２１の板面は略矩形状をなし、鍵２を錠本体１へ挿入したとき、鍵板部２１の丸みのある先端部２５が後述する内筒４の基底部４０に形成された錐状穴４１に突き当たる。
【００５６】
鍵板部２１の両側辺には、長さが複数段階（図示例では２段階）のいずれかにそれぞれ設定された複数個（図示例では７個ずつ）の鍵山２６Ａ〜２６Ｇが長さ方向に列設されている。各鍵山２６Ａ〜２６Ｇは高さｈが同一に揃えられている。なお、図示例のものは、説明を容易にするため、第１，第４，第５，第７の各鍵山２６Ａ，２６Ｄ，２６Ｅ，２６Ｇの長さｄをｄ１（例えばｄ１＝１．２ｍｍ）、第２，第３，第６の各鍵山２６Ｂ，２６Ｃ，２６Ｆの長さｄをｄ２（例えばｄ２＝０．８ｍｍ）の２段階に設定しているが、その段階数を増せば、鍵違いを一層多く設定できる。
【００５７】
第２の鍵山２６Ｂと第３の鍵山２６Ｃとの間、第３の鍵山２３Ｃと第４の鍵山２４Ｄとの間、および第５の鍵山２６Ｅと第６の鍵山２６Ｆとの間は、同じ長さｔ（例えばｔ＝１．０ｍｍ）の鍵溝２３である。
【００５８】
また、第１の鍵山２６Ａと第２の鍵山２６Ｂとの間、第４の鍵山２６Ｄと第５の鍵山２６Ｅとの間、および第６の鍵山２６Ｆと第７の鍵山２６Ｇとの間には、それぞれ長さｄ２の第１の平坦部２７Ｈ、第２の平坦部２７Ｉ、第３の平坦部２７Ｊが形成してある。これらの平坦部２７Ｈ〜２７Ｊの両隣は鍵溝２３，２３が連続しており、第１の鍵山２６Ａと第１の平坦部２７Ｈとの間、第１の平坦部２７Ｈと第２の鍵山２７Ｂとの間、第４の鍵山２６Ｄと第２の平坦部２７Ｉとの間、第２の平坦部２７Ｉと第５の鍵山２６Ｅとの間、第６の鍵山２６Ｆと第３の平坦部２７Ｊとの間、および第３の平坦部２７Ｊと第７の鍵山２６Ｇとの間は、長さｔ（例えばｔ＝１．０ｍｍ）が同じ鍵溝である。
【００５９】
各鍵山２６Ａ〜２６Ｇの長さｄは後述する第１のディスク５５の厚みｕに、また、各平坦部２７Ｈ〜２７Ｊの長さｄは後述する第２のディスク７５の厚みｖに、さらに、各鍵溝２３の長さｔは仕切板６５の厚みｗに、それぞれ対応している。
【００６０】
図１２および図１３に示す錠本体１は、例えば建物の玄関口などの扉１１（図２３に示す）に装着され、外筒３、内筒４、可動板８０、７枚の第１のディスク５５Ａ〜５５Ｇ，３枚の第２のディスク７５Ｈ〜７５Ｊ、１０枚の仕切板６５Ａ，６５Ｂ、丸軸状のラッチ部材８などで構成されている。
【００６１】
外筒３は、両端が開放された中空の円筒体であり、図１２および図１３に示すように、前面開口には可動板８０が回動自由に嵌挿されている。可動板８０上には前面カバー８８が被せられている。前面カバー８８は、例えばステンレスなどの金属材により形成される一面が開放された筒状のものであり、前面カバー８８の板面中央には嵌合孔８９が開設されている。可動板８０は、図１６および図１７に示すように、その前面カバー８８の側の側面に前記嵌合孔８９へ回動自由に嵌まる嵌合突部８１が突設してある。また可動板８０には、鍵２の鍵板部２１の断面形状に一致する鍵孔８２が直径線に沿って形成され、鍵孔８２に鍵２を挿入して回動させると、鍵２と一体に可動板８０が回動する。この鍵孔８２は、後述する各ディスク５５Ａ〜５５Ｇ，７５Ｈ〜７５Ｊや仕切板６５Ａ，６５Ｂの鍵挿通孔５６，６６，７６と連通する。
【００６２】
可動板８０の外周面には、径方向に前記鍵孔８２と直交する一対の筒状の溝８３，８３が対角位置に形成されている。各溝８３には、前部コイルバネ８４を介して前部ボール８５が溝８３内を摺動可能に挿入されている。前部コイルバネ８４は、外筒３に向かう方向に前部ボール８５を付勢しており、可動板８０の回動により前部ボール８５は外筒３の内周面上を摺動する。
【００６３】
外筒３の内周面には、図１２および図１８に示すように、１８０度等角の位置にそれぞれ前部ボール８５が嵌り込むことが可能な凹部８６，８６が所定の長さだけ長さ方向に形成してある。各凹部８６は、後述する鍵操作の待機位置Ｒ０を設定するためのものであり、可動板８０の鍵孔８２が後述する待機状態にあるときに各前部ボール８５との位置が揃って嵌り込むような角度位置に、それぞれ設けられている。なお、各凹部８６の両側壁は前部ボール８５が凹部８６から脱出し易いように傾斜面８７になっている。
【００６４】
図１２および図１３に戻って、外筒３の後面開口には、後面カバー３４が取り付けられている。後面カバー３４の板面中央には軸受孔３６が開設され、軸受孔３６には短筒状の駆動板３７が回動自由に支持されている。前記駆動板３７の外周面には、図２３に示すように、掛止め金具１０の基端部に形成された係合段部１０ａ，１０ｂに当たって掛止め金具１０を往復動させる駆動アーム１２が一体に取り付けられている。駆動板３７の内周面には後述する内筒４の駆動軸４８の板状端部４８ａが挿入される係合穴３９が形成してある。この係合穴３９は、所定の角度（図示例では、９０度）を挟んで対向する当接縁４９ａ，４９ｂを備えている。
【００６５】
前記掛止め金具１０は筐体の側の受け金具のラッチ溝（図示せず）と係脱するデッドボルトによって構成されるもので、前記駆動アーム１２の回動操作により往復動作し、この往復動作により前記受け金具のラッチ溝に係脱する。以下の説明において、この掛止め金具１０が受け金具のラッチ溝に係合することで施錠状態となり、受け金具のラッチ溝から脱出することで解錠状態となる。
【００６６】
図１５は、鍵２の挿入を受け付ける待機状態を示しており、可動板８０の鍵孔８２は上下方向を向いている。この実施例では、錠本体１は、鍵２を待機状態から図１５に示すＸ方向に所定の角度ｂ（図示例ではｂ＝１１０度）回動することにより施錠動作を行うとともに、待機状態からＹ方向に所定の角度ｅ（図示例ではｅ＝１１０度）回動することにより解錠動作を行うようになっている。また、錠本体１に鍵２が挿入されたとき、この待機状態以外の状態では鍵２を錠本体１から抜き取ることができないようになっている。以下、鍵２を回動することができる前記角度ｂ，ｅを「鍵操作角度」という。
【００６７】
図１５において、Ｒ０は待機位置、Ｒ１は施錠操作が可能となる施錠可能位置、Ｒ２は施錠操作の際に鍵操作の終端となる施錠位置を示している。また、Ｒ３は解錠操作が可能となる解錠可能位置、Ｒ４は解錠操作の際に鍵操作の終端となる解錠位置を示している。同図において、待機位置Ｒ０から施錠可能位置Ｒ１または解錠可能位置Ｒ３に至るまでは錠本体１の内筒４に対して鍵２が空転する。この実施例では、施錠のための操作角度（以下、「施錠操作角度」という。）ａおよび解錠のための操作角度（以下、「解錠操作角度」という。）ｄをともに２０度に設定している。施錠可能位置Ｒ１または解錠可能位置Ｒ３からさらに鍵２を回すと、内筒４が対応する各方向へ一体に回り出し、内筒４の駆動軸４８が回動する。
【００６８】
待機状態において、前記解錠状態では、図２３（１）に示すように、前記駆動軸４８の板状端部４８ａは前記係合孔３９の一方の当接縁４９ａと当接している。内筒４が図１５に示すＸ方向へ９０度回動する間は、駆動軸４８の板状端部４８ａが駆動板３７を矢印Ｓの方向に回動させることにより、駆動アーム１２が内筒４と一体に回動する。駆動アーム１２が所定の角度（図示例では６０度）回動すると、図２３（２）に示すように、掛止め金具１０の係合段部１０ａに突き当たり、掛止め金具１０を往動させる。さらに駆動アーム１２が内筒４と一体に３０度回動すると、図２３（３）に示すように、掛止め金具１０の先端が筐体の側の受け金具のラッチ溝に係入して施錠状態となる。次に、この状態から内筒４が反対方向（図１５に示すＹ方向）へ９０度回動することにより、前記待機状態に戻るが、このとき前記駆動軸４８の板状端部４８ａは、図２３（４）に示すように、係合穴３９内で空転するため、駆動アーム１２は内筒４と一体に回動せず、施錠状態が保たれる。
【００６９】
一方、施錠状態の待機状態においては、前記駆動軸４８の板状端部４８ａは、図２３（４）に示すように、係合孔３９の他方の当接縁４９ｂと当接している。内筒４が図１５に示すＹ方向へ９０度回動する間は、上記と同様に、駆動軸４８が駆動板３７を矢印Ｔの方向に回動させることにより、駆動アーム１２が内筒４と一体に回動する。駆動アーム１２が９０度回動すると、掛止め金具１０が復動し、筐体の側の受け金具のラッチ溝から脱出して解錠状態となり、扉１１を開くことが可能となる。次に、この状態から内筒４が反対方向（図１５に示すＸ方向）へ９０度回動することにより、前記待機状態に戻るが、このとき前記駆動軸４８の板状端部４８ａは係合穴３９内で空転するため、駆動アーム１２は内筒４と一体に回動せず、解錠状態が保たれる。
【００７０】
なお、扉１１の内面には、図２３に示すように、上記した鍵操作の終端位置Ｒ２，Ｒ４を設定するためのストッパー１３，１４が取り付けられている。駆動アーム１２が各ストッパー１３，１４に当たることで、駆動アーム１２、さらには内筒４の回動が規制され、これにより内筒４の回動が可能な角度ｃ，ｆが設定される。
【００７１】
外筒３の内周面の所定角度位置には、図１３に示すように、ラッチ部材８の半分が嵌り込んで内筒４の回動を規制する状態を形成する係合溝３２が外筒３のほぼ全長にわたり長さ方向に形成してある。なお、図１９は図１３のＡ−Ａ線に沿う断面図であり、同図には第１のディスク５５Ｂが表されている。図２０は図１３のＢ−Ｂ線に沿う断面図であり、同図には第２のディスク７５Ｈが表されている。図２１は図１３のＣ−Ｃ線に沿う断面図であり、同図には仕切板６５Ａが表されている。図２２は図１３のＤ−Ｄ線に沿う断面図であり、同図には先頭位置の前部仕切板６５Ｂが表されている。
また、各図の（１）は待機状態を、（２）は鍵２を施錠操作角度ａだけ回したときの施錠可能時の状態を、（３）は鍵２を鍵操作角度ｂだけ回したときの終端時の状態を、それぞれ示す。
【００７２】
図１９（１）に示すように、外筒３の係合溝３２と内筒４に形成された貫通孔４３との連通部分にラッチ部材８が位置して閉じ込められたとき、内筒４の回動を規制する状態が形成される。係合溝３２の両方の溝壁３３ａ，３３ｂは、ラッチ部材８が係合溝３２から脱出し易いように傾斜させている。
【００７３】
内筒４は、図１２、図１３および図１９〜図２２に示すように、外筒３の内部に回動可能に嵌挿される筒壁部４２を備えている。この筒壁部４２の内部には、７枚の第１のディスク５５Ａ〜５５Ｇと３枚の第２のディスク７５Ｈ〜７５Ｊと１０枚の仕切板６５Ａ，６５Ｂとが積層した状態で嵌挿されている。仕切板６５Ａはディスク間に介在し、前部仕切板６５Ｂは先頭に位置する。筒壁部４２の後端部には基底部４０が一体形成されている。基底部４０の内面に前記錐状穴４１が形成され、基底部４０の外面に前記駆動軸４８が一体に突設されている。
【００７４】
内筒４の筒壁部４２には、鍵２の挿入を受け付ける待機状態で外筒３の係合溝３２と位置が揃って連通する貫通孔４３が長さ方向に形成されている。貫通孔４３は、筒壁部４２を貫通するものであり、施錠操作可能時には第１のディスク５５Ａ〜５５Ｇ、第２のディスク７５Ｈ〜７５Ｊ、仕切板６５Ａ、および前部仕切板６５Ｂの後述する凹欠部５７Ａ，６７，７７が一列に揃うことにより生成される施錠用の凹溝１００と連通する（図１９（２）、図２０（２）および図２１（２）参照）。また、貫通孔４３は、図示は省略するが、解錠操作可能時（内筒４が解錠操作角度ｄだけ矢印Ｔの方向へ回動したとき）には第１のディスク５５Ａ〜５５Ｇ、第２のディスク７５Ｈ〜７５Ｊ、仕切板６５Ａ、および前部仕切板６５Ｂの凹欠部５７Ｂ，６７，７７が一列に揃うことにより生成される解錠用の凹溝（図示せず）と連通する。
【００７５】
内筒４の筒壁部４２には、第１のディスク５５Ａ〜５５Ｇ、第２のディスク７５〜７５Ｊ、仕切板６５Ａ、および前部仕切板６５Ｂの外周部にそれぞれ一体形成された扇状の突片５９，７９，６９が係合する開放部４４が形成されており、開放部４４の両端４４ａ，４４ｂには、第１、第２の各ディスク５５Ａ〜５５Ｇ，７５Ｈ〜７５Ｊ，各仕切板６５Ａ，６５Ｂの突片５９，６９，７９の両端が突き当たる。
【００７６】
内筒４の基底部４０の外周面には、図１２および図１３に示すように、径方向に貫通する貫通孔９１が形成されている。この貫通孔９１の内部には、後部コイルバネ９２を介して２個の後部ボール９３が摺動可能に支持されている。後部コイルバネ９２は、外筒３に向けて各後部ボール９３を付勢している。
【００７７】
内筒４の基底部４０と外筒３の内周面との間には、図２４に示すように、ガイドリング９４が嵌挿されている。内筒４の回動により各後部ボール９３はガイドリング９４の内周面上を摺動する。ガイドリング９４の内周面には、１８０度等角の位置にそれぞれ各後部ボール９３が嵌り込むことが可能な桶状の凹部９５，９５が形成してある。各凹部９５は、内筒４が前記待機状態にあるときに各後部ボール９３が嵌り込むような角度位置に、それぞれ設けられている。なお、各凹部９５の両側壁は、後部ボール９３が凹部９５から脱出し易いように傾斜させてある。
このように、内筒４が待機状態にあるときは、各後部ボール９３がガイドリング９４の各凹部９５に嵌り込んでいるから、鍵２を待機状態から施錠操作角度ａまたは解錠操作角度ｄだけそれぞれ回したときに、内筒４が鍵２とともに共回りするのが防止される。
【００７８】
７枚の第１のディスク５５Ａ〜５５Ｇ、３枚の第２のディスク７５Ｈ〜７５Ｊ、１０枚の仕切板６５Ａ，６５Ｂは、内筒４の筒壁部４２の内径にほぼ一致する直径を有し、外周部には外筒３の内径にほぼ一致する直径を有する扇状の突片５９，６９，７９がそれぞれ一体形成されている。
【００７９】
第１のディスク５５Ａ〜５５Ｇおよび第２のディスク７５Ｈ〜７５Ｊの各突片５９，７９は、図１９および図２０に示されるように、各ディスク５５Ａ〜５５Ｇ，７５Ｈ〜７５Ｊが内筒４内で待機状態から前記の施錠操作角度ａおよび解錠操作角度ｄだけ内筒４に対してそれぞれ回動可能なように、前記筒壁部４２に形成された開放部４４の開き角度θ１より小さな角度θ２（θ２＝θ１−ａ−ｄ）に形成されている。
【００８０】
各仕切板６５Ａ，６５Ｂの各突片６９は、図２１および図２２に示されるように、各仕切板６５Ａ，６５Ｂが内筒４内で回動しないように前記開放部４４の開き角度θ１と一致する角度θ３（θ３＝θ１）に形成されている。
【００８１】
第１のディスク５５Ａ〜５５Ｇ、第２のディスク７５〜７５Ｊ、仕切板６５Ａ，６５Ｂの板面中央には、鍵２の挿入を受け付ける待機状態で一連に揃って鍵２の挿脱が可能となる鍵挿通孔５６，６６，７６がそれぞれ同一形状に形成されている。各鍵挿通孔５６，６６，７６は、対向する一対の孔側縁に鍵２の各鍵山２６Ａ〜２６Ｇの高さｈに応じた高さの段部５８ａ，５８ｂ，６８ａ，６８ｂ，７８ａ，７８ｂがそれぞれ形成されている。各段部５８ａ，５８ｂ，６８ａ，６８ｂ，７８ａ，７８ｂは、鍵２の各鍵山２６Ａ〜２６Ｇに当接するが、鍵山間の鍵溝２３の部分は当接せずに各鍵挿通孔５６，６６，７６内を回動する。
【００８２】
第１のディスク５５Ａ〜５５Ｇ、第２のディスク７５〜７５Ｊおよび仕切板６５Ａは、外周縁をＵ字状に切り欠いて形成された凹欠部５７Ａ，５７Ｂ，６７，７７を有している。
第１のディスク５５Ａ〜５５Ｇの一方の各凹欠部５７Ａは前記待機状態に内筒４の貫通孔４３に対して施錠操作角度ａだけ回転方向Ｓの後方に位置ずれした角度位置に、他方の各凹欠部５７Ｂは前記待機状態に内筒４の貫通孔４３に対して解錠操作角度ｄだけ回転方向Ｔの後方に位置ずれした角度位置に、それぞれ設けられている（図１９（１）参照）。また、第２のディスク７５Ｈ〜７５Ｊの凹欠部７７および仕切板６５Ａの凹欠部６７は、前記待機状態に内筒４の貫通孔４３と位置が揃って連通するような角度位置に（図２０（１）、図２１（１）参照）、それぞれ設けられている。
【００８３】
第１のディスク５５Ａ〜５５Ｇの各凹欠部５７Ａと第２のディスク７５Ｈ〜７５Ｊの各凹欠部６７と仕切板６５Ａの各凹欠部７７とが全て一列に揃うことにより生成される施錠用の凹溝１００と、内筒４の貫通孔４３とが連通したとき（図１９（２）、図２０（２）、図２１（２）参照）、外筒３の係合溝３２と内筒４の貫通孔４３との連通部分に閉じ込められていたラッチ部材８が前記凹溝１００と内筒４の貫通孔４３との連通部分へ移動可能となるため、内筒４の回動が許容されて施錠操作が可能な状態となる。また、図示は省略するが、第１のディスク５５Ａ〜５５Ｇの各凹欠部５７Ｂと第２のディスク７５Ｈ〜７５Ｊの各凹欠部６７と仕切板６５Ａの各凹欠部７７とが全て一列に揃うことにより生成される解錠用の凹溝と、内筒４の貫通孔４３とが連通したとき、同様に内筒４の回動が許容されて、解錠操作が可能な状態となる。
なお、前部仕切板６５Ｂには凹欠部６７に代えて突部９９が形成されており、この突部９９によりラッチ部材８の軸方向の移動を規制している。
【００８４】
前記ラッチ部材８は、内筒４の筒壁部４２の長さよりわずかに短い丸軸体であって、外筒３の内周位置に第１、第２の各ディスク５５Ａ〜５５Ｇ，７５Ｈ〜７５Ｊや仕切板６５Ａと直交させて配備されている。
【００８５】
第１のディスク５５Ａ〜５５Ｇおよび第２のディスク７５Ｈ〜７５Ｊは、それぞれの厚みが複数段階（この実施例では２段階）に設定されており、第１のディスク５５Ａ〜５５Ｇは鍵２の対応する鍵山２６Ａ〜２６Ｇの長さｄと一致する厚みｕを有し、第２のディスク７５Ｈ〜７５Ｊは鍵２の対応する平坦部２７Ｈ〜２７Ｊの長さｄと一致する厚みｖを有している。
【００８６】
この実施例では、第１のディスク５５Ａ〜５５Ｇのうち、５５Ａ，５５Ｄ，５５Ｅ，５Ｇの各ディスクは第１，第４，第５，第７の各鍵山２６Ａ，２６Ｄ，２６Ｅ，２６Ｇの長さｄ１と一致する厚みｕ１（例えばｕ１＝１．２ｍｍ）に、５５Ｂ，５５Ｃ，５５Ｆの各ディスクは第２，第３，第６の各鍵山２６Ｂ，２６Ｃ，２６Ｆの長さｄ２と一致する厚みｕ２（例えばｕ２＝０．８ｍｍ）に、それぞれ設定されている。また、第２のディスク７５Ｈ〜７５Ｊは第１〜第３の各平坦部２７Ｈ〜２７Ｊの長さｄ２と一致する厚みｖ２（例えばｖ２＝０．８ｍｍ）に、それぞれ設定されている。
また、各仕切板６５Ａは、鍵２の鍵山間の鍵溝２３の長さｔと一致する厚みｗ（例えばｗ＝１．０ｍｍ）を有している。なお、前部仕切板６５Ｂの厚みは仕切板６５Ａの厚みｗより小さな値に設定されている。
【００８７】
上記した第２実施例のディスク錠装置において、錠本体１が待機状態にあるとき、外筒３の係合溝３２と内筒４の貫通孔４３との連通部分にラッチ部材８が位置し、内筒４は回動が規制されている（図１９（１）、図２０（１）、図２１（１）、図２２（１）参照）。この待機状態では、各ディスク５５Ａ〜５５Ｇ，７５Ｈ〜７５Ｊの鍵挿通孔５６，７６と各仕切板６５Ａ，６５Ｂの鍵挿通孔６６とが一連に揃って鍵２を挿入することが可能である。また、第２のディスク７５Ｈ〜７５Ｊの凹欠部７７および各仕切板６５Ａの凹欠部６７は内筒４の貫通孔４３と連通しているが（図２０（１）、図２１（１）参照）、第１のディスク５５Ａ〜５５Ｇの凹欠部５７Ａ，５７Ｂは内筒４の貫通孔４３と位置がずれている（図１９（１）参照）。このため、ラッチ部材８は外筒３の係合溝３２と内筒４の貫通孔４３との連通部分に位置し、閉じ込められた状態に保持される。
【００８８】
待機状態の錠本体１に適正な鍵２を挿入すると、鍵２の各鍵山２６Ａ〜２６Ｇは対応する第１のディスク５５Ａ〜５５Ｇの位置に位置し、また、各平坦部２７Ｈ〜２７Ｊは対応する第２のディスク７５Ｈ〜７５Ｊの位置に位置し、さらに、鍵山間の各鍵溝２３は各仕切板６５Ａの位置に位置する（図１３参照）。
【００８９】
挿入された鍵２は、各鍵山２６Ａ〜２６Ｇが第１のディスク５５Ａ〜５５Ｇの鍵挿通孔５６の段部５８ａ，５８ｂにそれぞれ当たる。一方、各平端部２７Ｈ〜２７Ｊは第２のディスク７５Ｈ〜７５Ｊの鍵挿通孔７６の段部７８ａ，７８ｂに当たらず、また鍵山間の各鍵溝２３の位置では各仕切板６５Ａの鍵挿通孔６６の段部６６ａ，６６ｂに当たらないので、鍵２を例えば施錠方向Ｓへ回すと、第１のディスク５Ａ〜５５Ｇは鍵山２６Ａ〜２６Ｇによって引っ掛けられ、一方、第２のディスク７５Ｈ〜７５Ｊや各仕切板６５Ａ，６５Ｂに対しては鍵２は鍵挿通孔７６，６６内で空転するため、第１のディスク５Ａ〜５５Ｇだけが鍵２と一体に施錠操作角度ａだけ回動する。その結果、第１のディスク５Ａ〜５５Ｇの凹欠部５７Ａと第２のディスク７５Ｈ〜７５Ｊの凹欠部７７と仕切板６５Ａの凹欠部６７とが一列に揃って施錠用の凹溝１００が生成され、この凹溝１００は内筒４の貫通孔４３と連通するので、丸軸状のラッチ部材８は内筒４の貫通孔４３と施錠用の係合溝１００との連通部分へ移動可能となり、施錠操作が可能な状態となる（図１９（２）、図２０（２）、図２１（２）参照）。
【００９０】
この状態からさらに、鍵２を回すと、外筒３の係合溝３２と内筒４の貫通孔４３との連通部分に位置していたラッチ部材８が傾斜する溝壁３３に沿って係合溝３２より押し出されて内筒４の貫通孔４３と施錠用の凹溝１００との連通部分へ移動するので、内筒４は外筒３との係わりが切れて束縛から解放され、全てのディスク５５Ａ〜５５Ｇ，７５Ｈ〜７５Ｊと全ての仕切板６５Ａ，６５Ｂと内筒４とが鍵２と一体に所定の角度ｃ（９０度）回動する（図１９（３）、図２０（３）、図２１（３）、図２２（３）参照）。これにより、駆動アーム１２が内筒４と一体に９０度回動するため、掛止め金具１０が筐体の側の受け金具のラッチ溝に係入して施錠状態となる。
【００９１】
そして、この状態から鍵２を反対方向（解錠方向Ｔ）へ９０度回すと、内筒４は全てのディスク５５Ａ〜５５Ｇ，７５Ｈ〜７５Ｊと全ての仕切板６５Ａ，６５Ｂとともに鍵２と一体に回動して外筒３の係合溝３２と内筒４の貫通孔４３とが連通し、ラッチ部材８は外筒３の係合溝３２と内筒４の貫通孔４３との連通部分へ移動可能となる（図１９（２）、図２０（２）、図２１（２）、図２２（２）参照）。この状態からさらに、鍵２を２０度回すと、ラッチ部材８は施錠用の凹溝１００より押し出されて外筒３の係合溝３２と内筒４の貫通孔４３との連通部分へ移動するので、第１のディスク５５Ａ〜５５Ｇだけが鍵２とともに回動し、前記待機状態に戻る（図１９（１）、図２０（１）、図２１（１）、図２２（１）参照）。このとき駆動アーム１２は内筒４と一体に回動しないので、施錠状態が保たれる。
【００９２】
なお、待機状態から鍵２を解錠方向Ｔへ回すときや解錠状態から鍵２を反対方向へ待機状態まで戻すときの錠本体１の動作は、上記した施錠方向Ｓへ回したときの錠動作と同様であるので、ここでは詳細な説明は省略する。
【００９３】
また、待機状態では、適正な鍵２だけでなく不適正な鍵も鍵孔８２より錠本体１の内部へ挿入することができ、適正な鍵２は前記待機状態からいずれの方向へも所定の角度回すことが可能であるが、不適正な鍵は前記待機状態からいずれの方向に回そうとしても、待機状態のままで回すことができないのは、上記した第１実施例と同様である。
さらに、第２のディスク７５Ｈ〜７５Ｊを設けることにより、ピッキングが防止可能となるのも、上記した第１実施例と同様である。
【図面の簡単な説明】
【００９４】
【図１】この発明の一実施例である錠本体に適正な鍵を挿入したときの内部構造を示す縦断面図である。
【図２】適正な鍵の外観を示す平面図と正面図である。
【図３】不適正な鍵の外観を示す平面図である。
【図４】錠本体の正面図である。
【図５】回動規制板の動作を示す錠本体の背面図である。
【図６】鍵操作時の各状態を示す図１のＡ−Ａ線に沿う断面図である。
【図７】鍵操作時の各状態を示す図１のＢ−Ｂ線に沿う断面図である。
【図８】鍵操作時の各状態を示す図１のＣ−Ｃ線に沿う断面図である。
【図９】鍵操作時の各状態を示す図１のＤ−Ｄ線に沿う断面図である。
【図１０】この発明の一実施例である錠本体に不適正な鍵を挿入したときの内部構造を示す縦断面図である。
【図１１】図１０のＥ−Ｅ線に沿う断面図である。
【図１２】この発明の他の実施例である錠本体に適正な鍵を挿入したときの内部構造を示す横断面図である。
【図１３】この発明の他の実施例である錠本体に適正な鍵を挿入したときの内部構造を示す縦断面図である。
【図１４】適正な鍵の外観を示す平面図と正面図である。
【図１５】錠本体の正面図である。
【図１６】可動板の平面図である。
【図１７】図１６のＥ−Ｅ線に沿う断面図である。
【図１８】図１２のＦ−Ｆ線に沿う断面図である。
【図１９】図１３のＡ−Ａ線に沿う断面図である。
【図２０】図１３のＢ−Ｂ線に沿う断面図である。
【図２１】図１３のＣ−Ｃ線に沿う断面図である。
【図２２】図１３のＤ−Ｄ線に沿う断面図である。
【図２３】錠本体の施錠および解錠動作を示す説明図である。
【図２４】図１３のＧ−Ｇ線に沿う断面図である。
【符号の説明】
【００９５】
１    錠本体
２    鍵
３    外筒
４    内筒
５Ａ〜５Ｅ，５５Ａ〜５５Ｇ  第１のディスク
６Ａ，６Ｂ，６５Ａ，６５Ｂ  仕切板
７Ｆ，７Ｇ，７５Ｈ〜７５Ｊ  第２のディスク
８    ラッチ部材
１０  掛止め金具
２２Ａ〜２２Ｅ，２６Ａ〜２６Ｇ  鍵山
２３  鍵溝
２４Ｆ，２４Ｇ，２７Ｈ〜２７Ｊ  平坦部
３２  係合溝
４３  貫通孔
４５  ネジ軸
４８  駆動軸
５０，６０，７０，５６，６６，７６  鍵挿通孔
５１，６１，７１，５８ａ，５８ｂ，６８ａ，６８ｂ，７８ａ，７８ｂ  段部
５４，６４，７４，５７Ａ，５７Ｂ，６７，７７  凹欠部
１００  凹溝
【図１】
0004685086.tif 000002
【図２】
0004685086.tif 000003
【図３】
0004685086.tif 000004
【図４】
0004685086.tif 000005
【図５】
0004685086.tif 000006
【図６】
0004685086.tif 000007
【図７】
0004685086.tif 000008
【図８】
0004685086.tif 000009
【図９】
0004685086.tif 000010
【図１０】
0004685086.tif 000011
【図１１】
0004685086.tif 000012
【図１２】
0004685086.tif 000013
【図１３】
0004685086.tif 000014
【図１４】
0004685086.tif 000015
【図１５】
0004685086.tif 000016
【図１６】
0004685086.tif 000017
【図１７】
0004685086.tif 000018
【図１８】
0004685086.tif 000019
【図１９】
0004685086.tif 000020
【図２０】
0004685086.tif 000021
【図２１】
0004685086.tif 000022
【図２２】
0004685086.tif 000023
【図２３】
0004685086.tif 000024
【図２４】
0004685086.tif 000025